(57)【特許請求の範囲】
【請求項１】
建物躯体の周囲の外壁表面に沿って水平方向に形成された幕板構造であって、幕板は、厚板状の非金属成形部材で形成されるとともに幕板と同じ高さに位置する庇の周囲にも同じ幕板が同じ高さに形成されており、庇の周囲には、縦断面形状が庇の外側に向かって開口されたコ字状の防水面となるコ字状部材が形成され、このコ字状部材に前記幕板が収納されていることを特徴とする幕板構造。
【請求項２】
庇の周囲と建物躯体の周囲との間には、連続する幕板を形成したことを特徴とする請求項１記載の幕板構造。
【請求項３】
建物躯体および庇の周囲に形成された幕板は、庇と建物躯体との間で分離されて庇用の庇用幕板および建物躯体用の建物躯体用幕板とされ、庇の周囲に形成された庇用幕板と建物躯体の周囲に形成された建物躯体用幕板との間には、防水且つ緩衝用の緩衝防水部材を形成したことを特徴とする請求項１記載の幕板構造。
【請求項４】
幕板の上部と防水面との間には、それらの間から幕板の裏面側に水が浸入することを抑える防水部を形成し、幕板の下部と防水面との間には、それらの間に入り込んだ水を下方に逃がすための非防水部を形成したことを特徴とする請求項１、請求項２または請求項３記載の幕板構造。
【発明の詳細な説明】
【０００１】
【発明の属する技術分野】
この発明は、建物躯体の周囲の外壁表面に沿って水平方向に形成された幕板を有する幕板構造に関するものである。
【０００２】
【先行技術】
従来の幕板は、木造の和風住宅の場合、モルタル外壁と例えば二階床際に位置する胴差しとの間に発生する隙間を覆うために使用されていた。また、洋風住宅の場合、幕板は建物の外壁の外観デザイン上のアクセントとして使用したり、建物の外壁仕上げ材の上下の色の切り替えをするために使用されていた。
【０００３】
図６は、従来の幕板構造の縦断面図を示すものである。
従来の幕板110は、全体形状が長尺状の箱状であって、塩ビ鋼板等の薄板金属を折り曲げることにより、形成されていた。この幕板110は、一階用サイディング140の上端と二階用サイディング150の下端との間に位置して、壁パネル111の表面に固定されていた。
【０００４】
具体的には、幕板110は、幕板110の前面側に位置して全体形状が長尺の平板状の幕板本体120と、幕板本体120の下部の建物躯体側に位置して、幕板本体120及び壁パネル111の間に固定される縦断面形状が略コ字状の幕板下固定部材130とを備えていた。更に、具体的には、幕板本体120は、その上部に延びて、二階用サイディング150の下端の建物躯体側に入り込んで壁パネル111に本体締結部材125を介して固定される上延設部121と、その高さ方向の途中に位置して、横方向に凹状に形成された凹溝123と、幕板本体120の下部に位置して、幕板下固定部材130に係合可能な下係合部122とを備えていた。また、幕板下固定部材130は、略コ字状のものが建物躯体の外側に向かって開口するように壁パネル111に固定されていた。そして、この幕板下固定部材130は、その上部に位置して、幕板本体120の凹溝123に締結部材124を介して固定される上固定部132と、その下部に位置して、幕板本体120の下係合部122が係合可能な下被係合部131とを備えていた。そして、この幕板110の上部と二階用サイディング150との間には、それらの間から水が入らないようにするためのコーキング151が形成され、また、幕板110の下部と一階用サイディング140との間には、それらの間から水が入らないようにするためのコーキング141が形成されていた。
【０００５】
また、特に図示しないが、幕板110は、建物躯体の例えば一階と二階との間の外壁表面に水平方向に沿って形成されていたが、建物躯体の途中に庇等の突出物が形成されると、その庇が形成されている部分には、幕板110を形成せず、庇を挟み込むような状態で形成されていた。
【０００６】
【発明が解決しようとする課題】
しかし、上記した従来の幕板構造は、塩ビ鋼板からなる薄板金属から形成されているため、外部から外力が加わった際に部分的に変形し易かった。また、かかる変形は、幕板110が建物躯体の周囲に長尺物として形成されているため、光の反射により一部の僅かの表面の変形でも非常に目立ちやすく、外観が悪くなるという第一の問題点があった。
【０００７】
さらに、建物躯体の全体の外観において、重厚感や高級感を醸し出そうとしても、幕板110が塩ビ鋼板からなる薄板金属から形成されていると、かかる雰囲気を高めることが難しいという第二の問題点があった。
また、幕板110と略同じ高さの位置に庇が形成されると、横方向に延びて、建物の外壁の外観デザイン上のアクセントとして使用される幕板110が庇により途切れてしまい、建物全体の見栄えが良くないという第三の問題点があった。
【０００８】
そこで、請求項１記載の発明は、上記した従来の技術の有する第一乃至第三の問題点に鑑みてなされたものであり、その目的とするところは、外部からの外力が加わっても、変形し難くて良好な外観を維持することができ、高級感や重厚感を醸し出すことができる上に、庇により途中で途切れることもなくて、建物全体の見栄えも良好で取付作業が容易な幕板構造を提供しようとするものである。
【０００９】
これに加え、請求項２記載の発明は、庇と建物躯体との間にも、幕板を連続して形成することにより、良好な外観を有する幕板構造を提供しようとするものである。
これに加え、請求項３記載の発明は、庇と建物躯体との位置がずれても、幕板の変形を抑えることができる幕板構造を提供しようとするものである。
【００１０】
これに加え、請求項４記載の発明は、幕板の裏面側に水が入り込みことを抑えて、入り込んだ水は下方から逃がすことができて、庇の防水性を担保することができる幕板構造を提供しようとするものである。
【００１１】
【００１２】
【課題を解決するための手段】
本発明は、上記した目的を達成するためのものである。
請求項１記載の発明は、建物躯体(17)の周囲の外壁表面に沿って水平方向に形成された幕板構造であって、幕板(10)は、厚板状の非金属成形部材で形成されるとともに幕板(10)と同じ高さに位置する庇(20)の周囲にも同じ幕板(10)が同じ高さに形成されており、庇の周囲には、縦断面形状が庇の外側に向かって開口されたコ字状の防水面(40)となるコ字状部材(43)が形成され、このコ字状部材(43)に前記幕板(10)が収納されていることを特徴とする。
【００１３】
なお、ここで、「厚板状の非金属成形部材」とは、厚板状の非金属材料からなるものを、金型やダイ等を用いて、押出成形や射出成形や圧縮成形等の成形加工により、所定の形にした部材をいう。ここで、非金属材料とは、例えば、樹脂、陶磁器等のセラミック材、モルタル、ガラス繊維、セメント等を含むものである。すなわち、塩ビ鋼板等の薄板状の金属材料や、木質材等は含まれないものである。
【００１４】
本発明は、幕板(10)が厚板状の非金属成形部材から形成されているため、塩ビ鋼板からなる薄板金属により形成されるようなものと比較して、外部から外力が加わった際に部分的に変形し難い。これにより、建物躯体の外側から見た幕板(10)の外観を良好に維持することができる。
また、厚板状のものから形成されているため、薄板金属等から形成されているものと比較して、重厚感や高級感を醸し出すことが容易である。
【００１５】
そして、幕板(10)と同じ高さに位置する庇(20)の周囲にも、幕板(10)を形成しているため、建物躯体(17)の表面に沿って水平方向に形成された幕板(10)が、庇(20)により途切れてしまうことがなく、建物躯体(17)の周囲に幕板(10)を形成することができる。これにより、建物躯体(17)の外壁の外観上のアクセントとして使用している幕板(10)を、建物躯体(17)の周囲全体に途切れることなく配置することができ、建物全体の見栄えを良くすることができる。また、コ字状部材(43)により庇(20)の防水性を担保することができる。
【００１６】
請求項２記載の発明は、上記した請求項１記載の特徴点に加え、庇(20)の周囲と建物躯体(17)の周囲との間には、連続する幕板(10)を形成したことを特徴とする。
本発明は、庇(20)と建物躯体(17)との間にも、幕板(10)を連続して形成している。このため、庇(20)から延びる幕板(10)と建物躯体(17)から延びる幕板(10)との間に、隙間や切れ目が発生することがなく、建物全体の一体感を向上させることができる。これにより、建物外観を良好なものにすることができる。
【００１７】
請求項３記載の発明は、上記した請求項１記載の特徴点に加え、幕板(10)を分離して形成することにより、庇(20)の周囲には、庇(20)用の庇用幕板(31)を形成し、建物躯体(17)の周囲には、建物躯体(17)用の建物躯体用幕板(32)を形成し、庇用幕板(31)と建物躯体用幕板(32)との間には、防水且つ緩衝用の緩衝防水部材(33)を形成したことを特徴とする。
なお、ここで、「緩衝防水部材(33)」とは、庇用幕板(31)と建物躯体用幕板(32)との間に挟み込まれて、両者の間から雨水が入ることを抑え、かつ、庇用幕板(31)と建物躯体用幕板(32)との位置がずれても、それ自体が変形することによりかかる位置のずれを吸収することができるようなものであれば良いものである。具体的には、弾性材料であって、例えば、幕板(10)と同じ外観色に着色したゴムや、軟質樹脂、種々のコーキング材等を含むものである。
【００１８】
本発明は、庇(20)の周囲には、庇(20)用の庇用幕板(31)を形成し、建物躯体(17)の周囲には、建物躯体(17)用の建物躯体用幕板(32)を形成し、それらの間には、緩衝防水部材(33)が挟み込まれている。すなわち、幕板(10)は、庇(20)と建物躯体(17)との間で分離した構造となっている。このため、庇(20)と建物躯体(17)とのいずれか一方に異なる方向の外力が加わり、庇(20)と建物躯体(17)との位置がずれるようなことがあっても、庇(20)と建物躯体(17)との間で幕板(10)に無理な外力が加わるようなことを抑えることができ、その外力による変形は緩衝防水部材(33)により吸収することができる。これにより、幕板(10)が強制的に変形して、外観不良や、変形による破損を引き起こしたり、建物躯体(17)から外れたりすることを抑えることができ、長期間、安定した外観や品質を維持することができる。
【００１９】
また、この緩衝防水部材(33)が、庇用幕板(31)と建物躯体用幕板(32)との間に形成されているため、庇用幕板(31)と建物躯体用幕板(32)との間から雨水が入り込むことを抑えることができて、建物躯体(17)への雨水の浸入を抑えることができる。
【００２０】
なお、前述した請求項１記載の発明における「防水面(40)」とは、庇(20)と外部との間に位置して、外部から庇(20)の内部に雨水等の浸入を抑えることができるように庇(20)の周囲に連続して形成された面状のものを意味するものである。具体的には、防水シートや、塩ビ鋼板等の薄板金属や、種々のコーキング材や、ゴムパッキン等を含むものであって、これらを組み合わせて庇(20)の周囲に形成しているものを含むものである。
【００２１】
請求項１記載の発明においては、庇(20)周囲に形成された防水面(40)の外側に幕板(10)を形成している。このため、幕板(10)と幕板(10)の周囲部材との間の防水処理を完璧なものにする必要がなく、幕板(10)とその周囲との防水作業を容易にすることができ、幕板(10)の取付作業を簡単なものにすることができる。
請求項４記載の発明は、上記した請求項３記載の特徴点に加え、幕板(10)の上部と防水面(40)との間には、それらの間から幕板(30)の裏面側に水が浸入することを抑える防水部(41)を形成し、幕板(10)の下部と防水面(40)との間には、それらの間に入り込んだ水を下方に逃がすための非防水部(42)を形成したことを特徴とする。
【００２２】
なお、ここで、「防水部(41)」は、幕板(10)の上部と防水面(40)との間に形成されて、それらの間から雨水が入り込むことを抑えることができるようなものであれば良いものである。具体的には、例えば、コーキング、ゴムパッキン、防水シール材等を含むものである。
また、ここで、「非防水部(42)」は、幕板(10)の下部と防水面(40)との間から水が下方に向かって流れ落ちるように形成されていれば良いものである。具体的には、それらの間に「防水部(41)」のようなものを形成せずに、両者の間から水が流れ落ちることができるような隙間や水が流れることができる通路や凹溝等を形成するようなものを含むものである。
【００２３】
本発明は、防水部(41)が幕板(10)の上部と防水面(40)との間に形成されているため、幕板(10)の上部から、幕板(10)の裏面側に向かって雨水等が入り込むことを抑えることができる。これにより、幕板(10)の裏面側から庇(20)の内部に雨水等が浸入することを抑えることができ、庇(20)の防水性を担保することができる。
【００２４】
さらに、非防水部(42)が、幕板(10)の下部と防水面(40)との間に形成されているため、幕板(10)の裏面側に水が入り込んでも、入り込んだ水を非防水部(42)から下方に向かって逃がすことができる。これにより、幕板(10)の裏面側と防水面(40)との間に水が溜まることがなく、幕板(10)の裏面側にカビ等が発生することを抑えることができ、幕板(10)の裏面側が汚れ難くなり、衛生的に良好な状態を保つことができる。
【００２５】
【００２６】
【００２７】
【００２８】
【発明の実施の形態】
以下、本発明の実施の形態を図面に基づいて、更に詳しく説明する。
図１乃至図４は、本発明の第一の実施の形態を示すものであり、図１は幕板構造の縦断面図、図２は幕板構造の一部拡大縦断面図、図３は外壁に取り付けた幕板の縦断面図、図４は幕板構造の外観斜視図をそれぞれ示す。
【００２９】
まず、本実施の形態の構成について説明する。
本実施の形態に係る幕板構造は、建物躯体17の周囲の外壁表面に沿って幕板10を水平方向に形成しているものである。この幕板10は、厚板状の非金属成形部材で形成されるとともに幕板10と同じ高さに位置する庇20の周囲にも形成されていることを特徴とするものである。具体的には、この幕板10は、陶磁器と同様の材質からなるセラミック製である。
【００３０】
そして、図４に示すように、庇20の両側面及び前面には、建物躯体17の周囲に形成された幕板10と同様のものが形成されている。さらに、庇20の周囲と建物躯体17の周囲との間には、連続する幕板10が形成されている。すなわち、庇20と建物躯体17との間で、別個の分離した幕板10を繋ぎ合わせているのではなく、一体物の幕板10を庇20と建物躯体17との間に渡るように配置しているものである。
【００３１】
この庇20は、平面視で略四角形状をしており、建物躯体17の外方に向かって横方向に突出しているものである。そして、この庇20は、上面に反建物躯体側に向かって下り傾斜の屋根21が形成され、その屋根21の前端に沿って凹溝状の樋52が形成されている。庇20の上面の建物躯体17側には、二階用サイディング14の下端部が当接し、防水処理が施されている。なお、この二階用サイディング14は、壁パネル11の表面に横方向に形成された木質からなる胴縁16の表面に固定されている。そして、庇20の下面には、下面全体を覆う軒天井50が野縁51により支持されている。そして、庇20の周囲には、庇20の内部への水の浸入を抑える防水面40が形成され、幕板10は、前記防水面40の外側に形成されている。
【００３２】
具体的には、防水面40は、薄板金属からなる縦断（鉛直）面形状が庇20の外側に向かって開口されたコ字状のコ字状部材43を備えている。このコ字状部材43は、図１及び図２に示すように、庇20の前面側の先端部に位置して設けられ、上部に反建物躯体17側に向かって水平方向に突出する上突出部45が備えられ、下部に反建物躯体17側に向かって水平方向に突出する下突出部46とが備えられていることにより、反建物躯体17側に向かって開口するとともに内部に幕板10を収納可能な凹状の収納凹部44が形成されている。特に図示しないが、防水面40は、前記コ字状部材43と、複数の防水シートや、コーキングにより、庇20の周囲に連続して形成されたものであって、庇20の内部に雨水等が浸入することができないように形成されているものである。そして、上記で説明したものと略同様のものが庇20の両側面にも同様に形成されて、庇20の周囲を幕板10が覆うように形成されているものである。
【００３３】
そして、幕板10の上部と防水面40を形成するコ字状部材43の上突出部45との間には、それらの間から幕板10の裏面側に水が浸入することを抑える防水部41を形成している。この防水部41は、具体的には、コーキング47と、このコーキング47を保持するバックアップ材48とから形成されている。また、幕板10の下部と防水面40を形成するコ字状部材43の下突出部46との間には、それらの間に入り込んだ水を下方に逃がすための非防水部42を形成している。この非防水部42は、具体的には、幕板10の下部とコ字状部材43の下突出部46との間に形成された隙間であって、この隙間が水の通路となって、幕板10の裏面側に入り込んだ水を下方に逃がすことができるように設定されている。
【００３４】
なお、コ字状部材43の内部には、上下に木質材からなる長尺状の調整部材53が水平方向に固定されている。そして、この調整部材53の外側に締結部材54を介して幕板10が固定されている。
また、建物躯体17の周囲に形成される幕板10は、図３に示すように、壁パネル11の表面に固定された胴縁16に締結部材54を介して建物躯体17に固定されている。この場合には、幕板10の上端と二階用サイディング14との間には、建物躯体17への水の浸入を抑えるためのコーキング47と、このコーキング47を保持するためのバックアップ材48とが形成されている。同様に、幕板10の下端と一階用サイディング12との間にも、建物躯体17への水の浸入を抑えるためのコーキング47と、バックアップ材48とが形成されている。
【００３５】
次に、上記した実施の形態の作用及び効果について説明する。
本実施の形態は、幕板10が厚板状の非金属成形部材から形成されているため、塩ビ鋼板からなる薄板金属により形成されるようなものと比較して、外部から外力が加わった際に部分的に変形し難い。これにより、建物躯体の外側から見た幕板10の外観を良好に維持することができる。
【００３６】
また、幕板10が厚板状のものから形成されているため、薄板金属等から形成されているものと比較して、重厚感や高級感を容易に醸し出すことができる。
そして、幕板10と同じ高さに位置する庇20の周囲にも、幕板10を形成しているため、建物躯体17の表面に沿って水平方向に形成された幕板10が、庇20により途切れてしまうことがなく、建物躯体17の周囲に幕板10を形成することができる。これにより、建物躯体17の外壁の外観上のアクセントとして使用している幕板10を、建物躯体17の周囲全体に途切れることなく配置することができ、建物全体の見栄えを良くすることができる。
【００３７】
また、本実施の形態は、庇20と建物躯体17との間にも、幕板10を連続して形成している。すなわち、それらの境界において、幕板10同士を分離せずに、一体物の幕板10を両者の間に渡すように形成している。このため、庇20と建物躯体17との幕板10の間にも、隙間や切れ目が発生することがなく、建物全体の一体感を向上させることができる。これにより、建物外観を良好なものにすることができる。
【００３８】
本実施の形態において、庇20の周囲に形成されたコ字状部材43を有する防水面40の外側に幕板10を形成している。このため、幕板10と幕板10の周囲部材との間の防水処理を完璧なものにする必要がなく、幕板10とその周囲との防水作業を容易にすることができ、幕板10の取付作業を簡単なものにすることができる。
【００３９】
本実施の形態は、防水部41が幕板10の上部と防水面40であるコ字状部材43の上突出部45との間に形成されているため、幕板10の上部と上突出部45との間から、幕板10の裏面側に向かって雨水等が入り込むことを抑えることができる。これにより、幕板10の裏面側から庇20の内部に雨水等が浸入することを抑えることができ、庇20の防水性を担保することができる。
【００４０】
そして、上突出部45が、幕板10を収納した収納凹部44の上方を覆うとともに反建物躯体側に向かって水平方向に突出している。このため、庇20の上方から流れ伝わってきた雨水は、この上突出部45の表面に沿って反建物躯体側に向かって水平方向に案内され、雨水が幕板10の上端面に直接、流れ落ちることを抑えることができる。これにより、幕板10の裏面側に雨水が入り込むことを抑えることができて、幕板10の裏面側から雨水が庇20の内部に入り込むことを抑えることができ、庇20の防水性を担保することができる。
【００４１】
さらに、非防水部42が、幕板10の下部と防水面40であるコ字状部材43の下突出部46との間に形成されているため、幕板10の裏面側に水が入り込んでも、入り込んだ水を非防水部42から下方に向かって逃がすことができる。これにより、幕板10の裏面側とコ字状部材43との間に水が溜まることがなく、幕板10の裏面側にカビ等が発生することを抑えることができ、幕板10の裏面側が汚れ難くなり、衛生的に良好な状態を保つことができる。
【００４２】
そして、下突出部46が、幕板10を収納した収納凹部44の下方を覆うとともに反建物躯体側に向かって水平方向に突出している。このため、収納凹部44の内部に入り込んだ雨水は、この下突出部46の表面に沿って反建物躯体側に向かって水平方向に案内され、この下突出部46の先端により下方に向かって落下し、いわゆる水切りをすることができる。これにより、雨水が建物躯体17の表面に沿って伝わり落ちるのを抑えることができて、雨水が庇20の内部に浸入することを抑えることができ、庇20の防水性を担保することができる。
【００４３】
次に、第二の実施の形態について説明する。
図５は、本発明の第二の実施の形態であって、幕板構造の外観斜視図を示すものである。
本実施の形態は、庇20の周囲には、庇20用の庇用幕板31を形成し、建物躯体17の周囲には、建物躯体17用の建物躯体用幕板32を形成し、庇用幕板31と建物躯体用幕板32との間には、防水且つ緩衝用の軟質樹脂からなる緩衝防水部材33を形成したことを特徴とするものである。
【００４４】
前記庇用幕板31と建物躯体用幕板32との縦断面形状や材質等は、同一のものを使用している。これらの両者の違いは、長手方向の長さが異なるだけである。
本実施の形態は、庇20の周囲には、庇20用の庇用幕板31を形成し、建物躯体17の周囲には、建物躯体17用の建物躯体用幕板32を形成し、それらの間には、緩衝防水部材33が挟み込まれている。すなわち、幕板10は、庇20と建物躯体17との間で分離した構造となっている。このため、庇20と建物躯体17とのいずれか一方に異なる方向の外力が加わり、庇20と建物躯体17との位置がずれるようなことがあっても、庇20と建物躯体17との間で幕板10に無理な外力が加わるようなことを抑えることができる。さらに、その外力による変形は緩衝防水部材33により吸収することができる。これにより、幕板10が強制的に変形して、外観不良や、変形による破損を引き起こしたり、建物躯体17から外れたりすることを抑えることができ、長期間、安定した外観や品質を維持することができる。
【００４５】
また、この緩衝防水部材33が、庇用幕板31と建物躯体用幕板32との間に形成されているため、庇用幕板31と建物躯体用幕板32との間から雨水が入り込むことを抑えることができて、建物躯体17の内部への雨水の浸入を抑えることができる。
【００４６】
【発明の効果】
本発明は、以上のように構成されているので、以下に記載されるような効果を奏する。
請求項１記載の発明によれば、外部からの外力が加わっても、変形し難くて良好な外観を維持することができ、高級感や重厚感を醸し出すことができる上に、幕板が、庇により途中で途切れることもなくて、建物全体の見栄えも良好な幕板構造を提供することができる。また、取付作業が容易な幕板構造を提供することができる。
【００４７】
請求項２記載の発明によれば、庇と建物躯体との間にも、幕板を連続して形成することにより、良好な外観を有する幕板構造を提供することができる。
請求項３記載の発明によれば、庇と建物躯体との位置がずれても、幕板の変形を抑えることができる幕板構造を提供することができる。
【００４８】
請求項４記載の発明によれば、幕板の裏面側に水が入り込みことを抑えて、入り込んだ水は下方から逃がすことができて、庇の防水性を担保することができる幕板構造を提供することができる。
【図面の簡単な説明】
【図１】  本発明の第一の実施の形態であって、幕板構造を示す縦断面図である。
【図２】  本発明の第一の実施の形態であって、幕板構造を示す一部拡大縦断面図である。
【図３】  本発明の第一の実施の形態であって、外壁に取り付けた幕板を示す縦断面図である。
【図４】  本発明の第一の実施の形態であって、幕板構造を示す外観斜視図である。
【図５】  本発明の第二の実施の形態であって、幕板構造を示す外観斜視図である。
【図６】  従来の幕板構造を示す縦断面図である。
【符号の説明】
10  幕板                          11  壁パネル
12  一階用サイディング            14  二階用サイディング
16  胴縁                          17  建物躯体
20  庇                            21  屋根
31  庇用幕板
32  建物躯体用幕板                33  緩衝防水部材
40  防水面                        41  防水部
42  非防水部                      43  コ字状部材
44  収納凹部                      45  上突出部
46  下突出部                      47  コーキング
48  バックアップ材                50  軒天井
51  野縁                          52  樋
53  調整部材                      54  締結部材
110  幕板                          111  壁パネル
120  幕板本体                      121  上延設部
122  下係合部                      123  凹溝
124  締結部材                      125  本体締結部材
130  幕板下固定部材                131  下被係合部
132  上固定部                      133  固定部材用締結部材
140  一階用サイディング            141  コーキング
150  二階用サイディング            151  コーキング
【図１】
0003996983.tif 000002
【図２】
0003996983.tif 000003
【図３】
0003996983.tif 000004
【図４】
0003996983.tif 000005
【図５】
0003996983.tif 000006
【図６】
0003996983.tif 000007